(57)【要約】音発生手段、複数の音チャンネルおよびレコーディング手段を含む、サラウンド音を供給するための音発生システムである。音発生手段は音を発生するように使用者が操作するためのものであり、音を発生するための複数のインターフェース部材を含む。各インターフェース部材は、関連する音を発生するように使用者によって操作可能である。複数の音チャンネルは複数のインターフェース部材から音を受けるためのものである。複数のインターフェース部材の中の各々のインターフェース部材は、複数の音チャンネルの中の別個の関連するチャンネルに接続されることで関連する音を別個の関連するチャンネルへと伝達する。レコーディング手段は、複数の音チャンネルの中の各々のチャンネルから入る各々の音から音を記録するためのものである。
2004506248.tif 000002
【特許請求の範囲】
【請求項１】
間隔を置いた複数のスピーカを介してサラウンド音を供給するための音発生システムであって、
音を発生するために使用者が操作する音発生手段を含み、音発生手段が音発生のための複数のインターフェース部材を有し、各インターフェース部材が関連する音を発生するように使用者によって操作可能であり、
複数のインターフェース部材から音を受けるための複数の音チャンネルを含み、複数のインターフェース部材の中の各インターフェース部材が複数の音チャンネル中の別個の関連するチャンネルに接続されて関連する音を別個の関連するチャンネルに伝達し、
複数の音チャンネル中の各音チャンネルについて音の関連する部分セットを、間隔を置いた複数のスピーカのうちの少なくとも１つのスピーカに割り振るための音の方向付け手段を含み、音の方向付け手段が複数の音チャンネルに接続され、かつ複数のスピーカ・チャンネルを介して複数のスピーカに接続されるシステム。
【請求項２】
音発生手段が楽器である、請求項１に記載の音発生システム。
【請求項３】
楽器が弦楽器であり、かつ、
複数のインターフェース部材が楽器の複数の弦である、請求項２に記載の音発生システム。
【請求項４】
弦楽器が複数の弦ピックアップを含み、複数の弦ピックアップが、複数の弦の中の各々の弦について、弦により発生する音を受けるための関連する弦ピックアップを有し、関連する弦ピックアップが複数の音チャンネルの中の関連する音チャンネルに接続される、請求項３に記載の音発生システム。
【請求項５】
弦楽器がＧｉｔｔｌｅｒギターである、請求項４に記載の音発生システム。
【請求項６】
サラウンド音を供給するための音発生システムであって、
音を発生するために使用者が操作する音発生手段を含み、音発生手段が音発生のための複数のインターフェース部材を有し、各インターフェース部材が関連する音を発生するように使用者によって操作可能であり、
複数のインターフェース部材から音を受けるための複数の音チャンネルを含み、複数のインターフェース部材の中の各インターフェース部材が複数の音チャンネル中の別個の関連するチャンネルに接続されて関連する音を別個の関連するチャンネルに伝達し、
複数の音チャンネル中の各々の音チャンネルからの音を記録するためのレコーディング手段を含むシステム。
【請求項７】
レコーディング手段が、
複数の音チャンネルを受けるための複数のポートを有し、複数の音チャンネルの中の各々のチャンネルが複数のポートの中の関連するポートに接続され、
複数のポートの中の選択可能なポートを経由して複数の音チャンネルの中の各々のチャンネルから記録された音を伝達するための再生手段を有する、請求項６に記載の音発生システム。
【請求項８】
音発生手段が楽器である、請求項７に記載の音発生システム。
【請求項９】
楽器が弦楽器であり、かつ、
複数のインターフェース部材が楽器の複数の弦である、請求項８に記載の音発生システム。
【請求項１０】
弦楽器が複数の弦ピックアップを含み、複数の弦ピックアップが、複数の弦の中の各々の弦について、弦により発生する音を受けるための関連する弦ピックアップを有し、関連する弦ピックアップが複数の音チャンネルの中の関連する音チャンネルに接続される、請求項９に記載の音発生システム。
【請求項１１】
弦楽器がＧｉｔｔｌｅｒギターである、請求項１０に記載の音発生システム。
【請求項１２】
複数の音チャンネルの中の各々の音チャンネルを関連する複数の補助的なチャンネルに分割するための音チャンネル分割手段をさらに含み、複数の音チャンネルの中の各々の音チャンネルが関連する複数の補助的チャンネルを経由して音の方向付け手段に接続される、請求項２に記載の音発生システム。
【請求項１３】
発生した音に基づいて音響効果を供給するための複数の音響効果ユニットをさらに含み、複数の音チャンネルの中の各々の音チャンネルが複数の補助的チャンネルの中の音響効果補助チャンネルを有し、音響効果補助チャンネルが複数の音響効果ユニットの中の関連する音響効果ユニットに接続される、請求項１２に記載の音発生システム。
【請求項１４】
前記サラウンド方向付け手段がレコーディング・プラットホームのソフトウェアを含む、請求項１乃至１３のいずれか１項に記載の音発生システム。
【請求項１５】
前記サラウンド方向付け手段が、アナログ／デジタル、デジタル／アナログ・コンバータを含む、請求項１４に記載の音発生システム。
【請求項１６】
前記アナログ／デジタル、デジタル／アナログ・コンバータが６入力と６出力の最小数を有する、請求項１５に記載の音発生システム。
【請求項１７】
個々のチャンネルの音の場所を操作するための操作装置をさらに含む、請求項１乃至１６のいずれか１項に記載の音発生システム。
【請求項１８】
前記操作装置がジョイスティックである、請求項１７に記載の音発生システム。
【請求項１９】
前記操作装置がｍｉｄｉコントローラである、請求項１７に記載の音発生システム。
【発明の詳細な説明】
【０００１】
（発明の分野）
本発明は、一般には楽器に関し、より詳細には、サラウンド音音楽システムに関する。
【０００２】
（発明の背景）
製造の終了時に、通常ではサラウンド音システムはスピーカ、レコーディング・コンソール、およびレコーディング・コンソールによって設けられる各サラウンド・チャンネルに付き１つの音響チャンネルを有する。その後、様々な音響チャンネルから入る音響データはサラウンド互換性アンプ、ＤＶＤプレーヤーまたは独立型デコーダを使用して消費者側端部で解読される。サラウンド音システムでは、サラウンド互換性コンソールが様々な信号を別個の音響チャンネルに沿って別個のスピーカに送り、それによって様々な音が別個のスピーカから放射可能となる。結果として、別個のスピーカが異なる方向となるように位置取りした聴取者はこれらの異なる方向から異なる音を聴取し、それにより三次元タイプの効果を形成する。この効果は映画館で頻繁に使用され、そこでは音環境全体にわたって間隔を置かれたスピーカの配列を通じて音、言うならばヘリコプター音を移動させることによって移動の印象が与えられる。
【０００３】
これらの効果は、音響エフェクタ・ユニットの使用を通じてさらに促進することができる。音響エフェクタ・ユニットの１つの範例は電子的効果／遅延ユニットであり、それは異なる音符または和音が何度も繰り返して演奏されるか、または持続した音符または音符のグループが時間長を変えながら同時にかつ連続的に鳴らされる（単調音）ループ化を形成するのに使用することができる。場合によっては、このループ化は異なるスピーカ間の配列を移動させることによって多方向にされることもあり得る。特に、音は異なるスピーカ間で「ピンポン状に」前後にされるか、または異なるスピーカを通して循環されることもあり得る。音は、異なるスピーカ間で即時に切り換えられることも可能であり、または異なるスピーカ間で「パニング」され、そこで異なるスピーカへのチャンネルが順々にかつ連続的に開閉されて一方のスピーカで消滅してそれが他方のスピーカに伝えられる音の効果を有することもあり得る。電子的効果／遅延ユニットは、サラウンド互換性コンソールに接続されるかまたは直接的にマイクのある装置に接続された単一入力、およびそれを通じて、サラウンド互換性コンソール経由で、ユニットが異なる出力音響チャンネルを介して異なるスピーカに接続可能となるようなモノまたはステレオ出力を有する。
【０００４】
その他のエフェクタ・ユニットには、サンプリング、ループ化、和音化、遅延、残響および無限の繰り返しループを供給するユニットが含まれる。例えば、和音化装置は残響、遅延を供給可能であり、かつ和音化することもやはりできる。サンプラーは中間の変換器への電圧を介してギターによってトリガをかけられる別の選択肢の音源を供給するのに使用することができる。例えば、単一入力を介してサンプラーが受けるギター音符はサンプラーによってギターを除いた他の音符、言うならばピアノ音符へと変えることもできるであろう。これらの新しい音はその後、サラウンド互換性レコーディング・コンソールへと送られ、そこからサラウンド環境のいずこに送られてもよい。
【０００５】
それらの開発の現状では、サラウンド音システムは前もって形成された音楽を増進させることおよび改造することを可能にする。しかしながら、サラウンド音技術は、予め形成された音楽を練り直すことによって音楽が形成される場合を除いて、音楽を最初から形成するまでには積み上げられていない。特に、実際に音楽を作るときに異なるスピーカの間で音楽の個々の構成成分を方向付けることで音楽家が演奏できるようにはなっていない。したがって、実際の作成時に音楽家がサラウンド音技術を使用するのを可能にするサラウンド音楽器が望まれる。
【０００６】
（発明の概要）
本発明の態様の目的は、改善された音発生システムを提供することである。
本発明の態様によると、間隔を置いた複数のスピーカを介してサラウンド音を供給するための音発生システムが供給される。音発生システムは音を発生するために使用者が操作する音発生手段を含む。音発生手段は音を発生するための複数のインターフェース部材を有する。各インターフェース部材はそれに関連する音を発生するように使用者によって操作することができる。音発生システムはさらに、複数のインターフェース部材から音を受けるための複数の音チャンネルを含む。複数のインターフェース部材の中の各インターフェース部材は、関連する音を別個の関連するチャンネルへと伝える複数の音チャンネルの中の別個の関連するチャンネルに接続される。さらに、音発生システムは、複数の音チャンネル中の各音チャンネルについて音の関連する部分セットを間隔を置いた複数スピーカのうちの少なくとも１つに割り振るための音方向付け手段を有する。音方向付け手段は複数の音チャンネルに接続され、かつ複数のスピーカ・チャンネルを経由して複数のスピーカに接続される。
【０００７】
音発生手段は楽器であることが好ましい。都合がよければ、この楽器は弦楽器であり、複数のインターフェース部材は楽器の複数の弦である。
【０００８】
本発明の第２の態様によると、サラウンド音を供給するための音発生システムが供給される。音発生システムは音を発生するために使用者が操作する音発生手段を含む。音発生手段は音を発生するための複数のインターフェース部材を有する。各インターフェース部材はそれに関連する音を発生するように使用者によって操作することができる。音発生システムはまた、複数のインターフェース部材から音を受ける複数の音チャンネルを含む。複数のインターフェース部材の中の各インターフェース部材は、関連する音を別個の関連するチャンネルへと伝える複数の音チャンネルの中の別個の関連するチャンネルに接続される。音発生システムはさらに、複数の音チャンネル中の各チャンネルから入る音を記録するためのレコーディング手段を含む。
【０００９】
レコーディング手段は複数の音チャンネルを受けるための複数のポートを有することが好ましい。複数の音チャンネル中の各チャンネルは複数ポートの中の関連するポートに接続される。レコーディング手段はまた、複数ポートの中の選択可能なポートを介して複数の音チャンネル中の各チャンネルから記録された音を伝達するための再生手段をも含む。
【００１０】
ここで、例として、本発明の好ましい態様を示す添付の図面を参照する。
【００１１】
（発明の好ましい態様の詳細な説明）
音響技術者またはフィルム音ミキサーがサラウンド音システムを使用するとき、それは概して特定の音響効果を３−Ｄ領域に設定するため、または予め記録されたプログラム材料中でミキシング音をさらに優れた環境に形成するためである。例えば、ジャズのクインテットは、一方のスピーカから発するピアノ、他方から発するバス、さらに他方から発するヴォーカルなどを有するようにミックスされることが可能である。これは３−Ｄミキシングと称することができ、レコーディングに雰囲気環境を作り出す。しかしながら、それ自体で三次元的に演奏または記録可能な個別楽器は無い。対照的に、かつ本発明の実施形態によると、楽器の弦の各々がそれ自体の音響チャンネルを割り当てられることが可能であり、それにより３−Ｄサラウンド帯域のどこにでも置かれることが可能である。
【００１２】
図１を参照すると、６本の弦２２を有するＧｉｔｔｌｅｒギター２０が描かれている。Ｇｉｔｔｌｅｒギターは１９７０年代後半にＡｌｌａｎ　Ｇｉｔｔｌｅｒによって考案された電気ギターであって、参考資料で取り入れた米国特許第４，０７９，５６２号で述べられている。Ｇｉｔｔｌｅｒギター２０は６カ所のリニア・ピックアップ２４を有する。６本のギター出力線２６がＧｉｔｔｌｅｒギター２０に接続される。ギター出力線２６の各々は別々のリニア・ピックアップ２４に接続される。ギター出力線２６の各々はプリアンプ・モジュール２８に接続され、それが低インピーダンスのギターから受容可能なレベルまで信号を持ち上げる。その後、この信号はプリアンプ出口３０を介してプリアンプ・モジュール２８から出力される。
【００１３】
図２を参照すると、プリアンプ出口３０がｍｕｌｔ／ｐａｔｃｈ区画ユニット３２に接続されて示されている。ｍｕｌｔ／ｐａｔｃｈ区画ユニット３２はプリアンプ出口３０から入力信号を取り込み、入力信号の各々について同じ信号の多重出力を作り出す。これらの多重出力信号はｍｕｌｔ出力線３４を介して出力され、それらの各々は別個のプロセッサに向けられることが可能である。図２で、３本の別個のｍｕｌｔ出力線３４がギターの弦各々について示されているが、しかしながら表現を簡単にするために、ギターの弦各々についてのこれら３本のｍｕｌｔ出力線３４はギターの弦各々について１本のｍｕｌｔ出力線３４まで最終的に減らされる。その後、この合計６本のｍｕｌｔ出力線３４は図２の右手側でさらに減らされて１本のｍｕｌｔ出力線３４となり、それから、合計３本のｍｕｌｔ出力線３４へと再び拡大される。実際の実施形態では、これらｍｕｌｔ出力線３４はすべて分けて保たれ、合計で１８本の（６本の弦各々について３本）ｍｕｌｔ出力線となるであろう。
【００１４】
ギター２０の各々の弦２２について別個のピックアップを有する結果として、様々な弦からの音符がレコーディング・コンソール上の様々な音響入力部に割り当てられ、そこから様々なスピーカに行くことが可能となる。様々な弦で作られた音および音楽が様々なスピーカへと向けられて様々な方向から聴取者に聞き取られることができるという事実はサラウンド環境内の聴取者に楽器自体の内側にいる印象を与える。さらに、聴取者が個々の弦各々から音符を聞くであろう方向を音楽家が個々にかつ動的に制御できるという事実はサラウンド環境を音楽演奏の一部にする。言い換えると、音楽家は、全体の音楽効果を変えるために様々な弦から入る音を方向付けし直すことができる。
【００１５】
各々の弦から入る音符は、各々の弦について多重信号が生じるせいで、ｍｕｌｔ／ｐａｔｃｈ区画ユニット３２によって多数の方式で処理されることが可能となる。図３を参照すると、弦各々から受信した信号を処理するための多様な音響エフェクタ・ボックスが例示されている。音響エフェクタ・ボックスのうちの１つはサンプリングを可能にする。特に、６本のｍｕｌｔ出力線３４は６つの電圧をｍｉｄｉへと変換するｍｉｄｉコンバータ４０につながる。ｍｉｄｉコンバータ４０を使用して、ギター２０はｍｉｄｉコンバータ４０に関連したサンプラーに記憶されたサンプル音のいかなる組合せを誘発させることにも使用することができる。特に、特定の弦で特定の音符を演奏し、かつその結果生じた信号をｍｉｄｉコンバータ４０に伝達することによって、言うならばピアノ音のようなギターによって従来は演奏できなかったサンプル音が、サンプリング・ユニットにｍｉｄｉ信号を送るｍｉｄｉコンバータ４０によって誘発可能となる。
【００１６】
６本のｍｕｌｔ出力線３４はサンプリング／信号プロセッサ４２につながる。このプロセッサ４２は各々の弦のためのモノまたはステレオ入力、およびステレオ出力を有する。したがって、プロセッサ４２につながる６本のｍｕｌｔ出力線があるが、プロセッサ４２からは１２本のプロセッサ出力線５２がつながる。プロセッサ４２を使用してループ化を形成することができる。場合によっては、このループ化は、様々なスピーカ間の配列を移動させることによって多方向性にされてもよい。その後、プロセッサ４２によって発生した信号はプロセッサ出力線５２を介して出力される。
【００１７】
６本のｍｕｌｔ出力線３４は和音装置４４につながる。和音装置４４もやはりループを形成し、入力として受けたあらゆる音符について、残響、遅延および和音を供給することもやはりできる。和音装置は受信した最初の音符の上にある程度の特定の間隔の音符を演奏することによって和音化を行う。
【００１８】
ｍｉｄｉコンバータ４０、プロセッサ４２および和音装置４４はすべて、音響信号を取り込んでその信号を操作するかまたは受信信号に基づいて出力放出の前に新たな信号を発生する音響エフェクタ・ボックスの範例である。多くの異なる種類の音響エフェクタ・ボックスを使用することができる。同じギターから同時に発生した様々な音を様々なギター出力線２６へと向ける能力とこれら音響エフェクタ・ボックスを組み合わせると音楽家の創作自由度は指数関数的に増大し、その中で音楽家は、様々なスピーカに対して演奏される様々な音符を方向付けすることだけでなく、各々のスピーカから加工された音符が伝えられる前にこれら様々な音符を多様に加工することも可能である。
【００１９】
図４を参照すると、ｍｉｄｉコンバータ用のサンプラー５８が例示されている。特に、ｍｉｄｉ出力線５０はサンプラー５８のｍｉｄｉ入力部でサンプラー５８に接続される。ｍｉｄｉコンバータ４０で、ギター２０から入る音符はデジタル信号に変換された。その後、これらのデジタル信号はｍｉｄｉ出力線５０を介してサンプラー５８へと伝達される。サンプラー５８で、デジタル信号はそれから、言うならばピアノ音符のようなギター以外のものである可能性のある音符へと変換される。その後、これらの音響信号はサンプラーの出力線６０を介して出力される。図５を参照すると、サンプラー出力線６０、プロセッサ出力線５２、および和音装置出力線５４はすべて、３−Ｄ音を混合してこれらの音をサラウンド環境中のいずれかのスピーカに割り振るのに使用するデジタルのサラウンド互換性コンソール６４に供給される。その後、最大で１６個までのサンプラー信号、１２個までのプロセッサ信号と６個までの和音装置信号がそれぞれ音響チャンネル７０、７２および７４を介してスピーカへと伝達される。
【００２０】
使用される特定の音響エフェクタ・ボックス、全くのところいかなる音響エフェクタ・ボックスの使用も本発明の本質でないことは当業者に理解されるであろう。それらは単に本発明の実施から流れ出すいくつかの利点の提示に過ぎない。本発明はまた、スピーカまたは音響エフェクタ・ボックスのいずれかを除いてギターの出力線２６を直接的にサラウンド互換性コンソール６４に接続することで実施することもできる。その後、いったん音楽が記録されてしまうと、音楽家は楽器の様々な部分を様々なスピーカに向けることによって記録された音楽と交流することができる。場合によっては、ギターの出力線２６を直接的にサラウンド互換性コンソール６４に接続し、そこからスピーカに接続することによって本発明を実施することができる。それでも音楽家は個々の音符を個々の弦から様々なスピーカに向けることが可能であり、したがって音楽家が創作過程の本来ある部分のようにこのサラウンド環境で演奏することを可能にする。
【００２１】
サラウンド互換性コンソール６４は、それを通して電気楽器（またはＧｉｔｔｌｅｒギターの弦）の音符をサラウンド環境中の様々なアンプおよびスピーカへと導くための手段である。これは複数のアナログ信号源を得てそれらをデジタル領域に変換すること、それらを操作することおよびそれらをサラウンド環境に向けることを可能にする。その後、信号はアナログ信号に再変換され、補助出力（送信）を出てアンプおよびスピーカへと送信される。
【００２２】
別の実施形態では、この処理はレコーディング・プラットホームと称されるソフトウェアのプログラム内で達成されることもあり得る。デジタルの音響レコーディング・プラットホームは内部ミキシング・コンソールを組み入れてもよく、サラウンド・ミキシングのオプション類をサポートしてもよい。本発明でこの手法を使用するために、ハードウェアの別の部分、言わばアナログ／デジタル、デジタル／アナログ・コンバータが使用されることもあり得る。好ましい実施形態では、６入力と６出力のうちの最小数が使用される。入力と出力の数は使用するサラウンド音システムの方式に応じて変わり、様々な数のチャンネルと音源を含むことがあり得る。
【００２３】
別の実施形態では、本発明はサラウンド環境内で個々のチャンネルの場所を操作する手段としてジョイスティックまたはプログラム可能なｍｉｄｉコントローラのようなハードウェアを有する。そのようなデジタルの音響プラットホームは記録された材料を得ること、またはそれをサラウンド環境中に混合することを可能にする。したがって、レコーディング・プラットホームに入力されつつある音は実行中に随意に操作することができる。こうして、本発明は三次元的な音発生装置を教示する。
【００２４】
これまでの説明はＧｉｔｔｌｅｒギターを使用して実施される本発明の態様であるが、本発明が他の楽器類を使用してこれらの楽器から出る音符を様々なスピーカに向けるのを可能にすることによって上手く実施できるであろうこともさらに当業者に理解されるであろう。例えば、キーボード上で、様々な音符を様々なスピーカに割り振ることが可能であろう。特に、言うならばキーボード上の特定のキー、またはギターの弦を叩くことによって音楽家が明確な動作を実行するときはいつでも、本発明による楽器を演奏する音楽家はこの動作の結果生じる音を特定のスピーカに向けることもやはりできる。したがって、本発明の他の変形および改造が可能である。すべてのそのような改造もしくは変形は添付の特許請求項で規定された本発明の領域および範囲内であると考えられる。
【図面の簡単な説明】
【図１】本発明の好ましい実施形態によるサラウンド音システムの楽器の構成成分の実施形態を例示する概略図である。
【図２】図１のサラウンド音システムのｍｕｌｔ／ｐａｔｃｈ区画の構成成分の態様を例示する概略図である。
【図３】図１のサラウンド音システムの音処理の構成成分の音響効果の態様を例示する概略図である。
【図４】図１のサラウンド音システムの音処理の構成成分の音響効果の態様を例示する概略図である。
【図５】図１のサラウンド音システムのサラウンド互換性コンソールの構成成分の態様を例示する概略図である。
【図１】
2004506248.tif 000003
【図２】
2004506248.tif 000004
【図３】
2004506248.tif 000005
【図４】
2004506248.tif 000006
【図５】
2004506248.tif 000007
【国際公開パンフレット】
2004506248.tif 000008
2004506248.tif 000009
2004506248.tif 000010
2004506248.tif 000011
2004506248.tif 000012
2004506248.tif 000013
2004506248.tif 000014
2004506248.tif 000015
2004506248.tif 000016
2004506248.tif 000017
2004506248.tif 000018
2004506248.tif 000019
2004506248.tif 000020
2004506248.tif 000021
2004506248.tif 000022
2004506248.tif 000023
2004506248.tif 000024
2004506248.tif 000025
2004506248.tif 000026
2004506248.tif 000027
2004506248.tif 000028
2004506248.tif 000029
2004506248.tif 000030
2004506248.tif 000031
2004506248.tif 000032
【国際公開パンフレット（コレクトバージョン）】
2004506248.tif 000033
2004506248.tif 000034
【国際調査報告】
2004506248.tif 000035
2004506248.tif 000036
2004506248.tif 000037